(57)【要約】【課題】歯科用インプラントパッケージにおいて、フィクスチャーのうちの患者の骨との接触部に汚染が生じることをより確実に抑制でき、且つ、サイズの異なるフィクスチャーに対する汎用性を高くできるようにする。【解決手段】歯科用インプラントパッケージ１は、本体ケース５と、カバーケース６と、下端ストッパ９と、上端ストッパ７ｅと、を有する。カバーケース６は、フィクスチャー２を出し入れ可能な開口部１８部を開閉可能である。下端ストッパ９は、生体親和性を有する材料を用いて形成されており、第１収容室１３内においてフィクスチャー２の下端部２ｃを支持する。上端ストッパ７ｅは、第１収容室１３内においてフィクスチャー２の上端部２ｂを支持する。本体ケース５の保持部１９は、下端ストッパ９の位置を変更可能に下端ストッパ９を保持する。【選択図】        図２
2015163167.tif 000002
【特許請求の範囲】
【請求項１】
患者の歯槽骨の奥側に挿入される下端部および当該下端部とは反対側の端部としての上端部を有するフィクスチャーを収容するための歯科用インプラントパッケージであって、
前記フィクスチャーを出し入れ可能な開口部、および、当該開口部に連続し前記フィクスチャーを収容可能な収容室を有する本体ケースと、
前記開口部を開閉可能なカバーケースと、
前記収容室内において前記フィクスチャーの前記下端部を支持するための下端ストッパと、
前記収容室内において前記フィクスチャーの前記上端部を支持するための上端ストッパと、
を備え、
前記本体ケースは、前記下端ストッパを保持するための保持部を有し、
前記保持部は、前記下端ストッパと前記上端ストッパとの間の距離を変更可能に前記下端ストッパを保持し、
前記下端ストッパは、生体親和性を有する材料で形成されており、
前記上端ストッパは、前記フィクスチャーの前記上端部または前記上端部に固定された部材を受け得るように構成されていることを特徴とする、歯科用インプラントパッケージ。
【請求項２】
請求項１に記載の歯科用インプラントパッケージであって、
前記下端ストッパは、前記本体ケースに収容される前記フィクスチャーの材料と同じ材料で形成されることを特徴とする、歯科用インプラントパッケージ。
【請求項３】
請求項１または請求項２に記載の歯科用インプラントパッケージであって、
前記下端ストッパは、プレート状に形成されていることを特徴とする、歯科用インプラントパッケージ。
【請求項４】
請求項１ないし請求項３の何れか１項に記載の歯科用インプラントパッケージであって、
前記保持部は、前記収容室に収容されたときの前記フィクスチャーの延びる方向に沿って離隔して配置された複数の保持溝部を含み、
前記下端ストッパは、複数の前記保持溝部に択一的に保持されることを特徴とする、歯科用インプラントパッケージ。
【請求項５】
請求項１ないし請求項４のいずれか１項に記載の歯科用インプラントパッケージであって、
前記本体ケースは、前記フィクスチャーと協働して歯科インプラントを形成する協働部材を収容するための第２収容室を有し、
前記第２収容室は、前記開口部が開かれたときに前記収容室とともに前記本体ケースの外部に露呈することを特徴とする、歯科用インプラントパッケージ。
【請求項６】
請求項１ないし請求項５のいずれか１項に記載の歯科用インプラントパッケージであって、
前記フィクスチャーの前記上端部の外周を受けることが可能なサブストッパをさらに備え、
前記サブストッパは、生体親和性を有する材料で形成されていることを特徴とする、歯科用インプラントパッケージ。
【請求項７】
請求項１ないし請求項６のいずれか１項に記載の歯科用インプラントパッケージであって、
前記フィクスチャーは、当該フィクスチャーの前記上端部に所定のマウントが結合された状態で前記収容室に収容されるように構成されており、
前記歯科用インプラントパッケージは、前記マウントを受け且つ前記本体ケースに保持されるサポート部材をさらに備えていることを特徴とする、歯科用インプラントパッケージ。
【請求項８】
請求項１ないし請求項７のいずれか１項に記載の歯科用インプラントパッケージであって、
前記本体ケースと前記カバーケースとを所定の軸回りに相対変位可能に連結する連結機構をさらに備えていることを特徴とする、歯科用インプラントパッケージ。
【請求項９】
請求項１ないし請求項８のいずれか１項に記載の歯科用インプラントパッケージであって、
前記上端ストッパは、前記フィクスチャーの前記上端面、または、前記上端部に固定された部材の上端面に結合可能であることを特徴とする、歯科用インプラントパッケージ。
【請求項１０】
請求項１ないし請求項９のいずれか１項に記載の歯科用インプラントパッケージであって、
前記本体ケースは、前記上端ストッパに近い側の端部に、前記収容室に連続する第１延伸部を備え、
前記カバーケースは、前記本体ケースの前記第１延伸部と共同して第２開口部を構成する第２延伸部を備え、
前記歯科用インプラントパッケージは、前記第２開口部を封鎖するキャップ部材をさらに備えていることを特徴とする、歯科用インプラントパッケージ。
【請求項１１】
請求項１０に記載の歯科用インプラントパッケージであって、
前記本体ケースは、前記上端ストッパから遠い側の端部に、本体ケースを前記本体ケースの長手方向に直立した状態に置くためのケーススタンド部をさらに備えていることを特徴とする、歯科用インプラントパッケージ。
【発明の詳細な説明】
【技術分野】
【０００１】
本発明は、歯科用インプラントパッケージに関する。
【背景技術】
【０００２】
歯科インプラント手術は、歯周疾患やその他の傷病により自身の歯を失われた患者さんに対して行われる治療の一つであり、患者の顎骨（歯槽骨）に、歯牙の代替物であるデンタルインプラントを植立する。歯槽骨に埋植されるデンタルインプラントの部材をフィクスチャーと呼び、フィクスチャーは、アバットメントなどを介して、義歯（差し歯、歯冠部分の補綴物）を固定する。
【０００３】
上記のフィクスチャーは、工場で製作された後、歯科用インプラントパッケージに収容された状態で、歯科医院などの手術室に搬送される。このような歯科用インプラントパッケージとして、種々の構成が知られている（たとえば、特許文献１，２参照）。
【０００４】
特許文献１に記載の歯科用インプラントパッケージは、歯槽骨に固定されるワンピースタイプの歯科用インプラントを収容するために用いられる。この歯科用インプラントは、全体が一つの部品からなり、歯槽骨埋入部と、歯肉接触部と、人工歯冠保持部と、が直列に並んだ構成を有している。歯肉接触部は、歯槽骨埋入部よりも太い形状に形成されている。
【０００５】
上記の歯科用インプラントを収容する歯科用インプラントパッケージは、中容器と、ケースリングと、ケースキャップとを備えている。ケースリングは、中容器内に保持される。ケースキャップは、ケースリングよりも上方に位置しており、中容器に取り付けられる。そして、ケースリングが歯肉接触部の外周部を保持し、ケースキャップが人工歯冠保持部の上端部を押さえる。これにより、歯科用インプラントは、ケースリングとケースキャップに挟まれた状態で、中容器内に保持される。このとき、中容器は、歯槽骨埋入部から離隔して配置されている。この構成により、歯槽骨埋入部は、中容器との接触によって汚染されることを抑制されている。
【０００６】
特許文献２に記載の歯科用インプラント包装容器は、本体と、レベラーと、第１蓋と、第２蓋と、保護リングとを有している。本体の内部には、隔壁部が設けられている。隔壁部は、フィクスチャー収容空間と補助収容空間とを隔てている。本体の両端部は、第１開口および第２開口を有している。レベラーは、フィクスチャー収容空間に収容されて、フィクスチャーを所定高さで支持する。第１蓋は、第１開口を塞ぎ、第２蓋は、第２開口を塞ぐ。保護リングは、第１開口を形成する本体の端部に結合される。フィクスチャーは、レベラー、保護リングなどによって、フィクスチャー収容空間内で固定される。
【先行技術文献】
【特許文献】
【０００７】
【特許文献１】実用新案第３１８４１７１号明細書
【特許文献２】特許第５１１３１７９号明細書
【発明の概要】
【発明が解決しようとする課題】
【０００８】
特許文献１に記載の構成では、フィクスチャーのサイズ（大きさ）に合わせた形状のケースキャップを用意する必要がある。このため、サイズの異なる歯科用インプラント毎に適切なサイズのケースキャップを用意する必要があり、歯科用インプラントパッケージの汎用性が低い。
【０００９】
特許文献２に記載の構成では、フィクスチャーのサイズ（大きさ）に合わせた形状のレベラーを用意する必要がある。このため、サイズの異なる歯科用インプラント毎に適切なサイズのレベラーを用意する必要があり、歯科用インプラントパッケージの汎用性が低い。
【００１０】
本発明は、上記実情に鑑みることにより、歯科用インプラントパッケージにおいて、フィクスチャーのうちの患者の骨との接触部に汚染が生じることをより確実に抑制でき、且つ、サイズの異なるフィクスチャーに対する汎用性を高くできるようにすることを、目的とする。
【課題を解決するための手段】
【００１１】
（１）上記目的を達成するための本発明に係る歯科用インプラントパッケージは、患者の歯槽骨の奥側に挿入される下端部および当該下端部とは反対側の端部としての上端部を有するフィクスチャーを収容するための歯科用インプラントパッケージであって、前記フィクスチャーを出し入れ可能な開口部、および、当該開口部に連続し前記フィクスチャーを収容可能な収容室を有する本体ケースと、前記開口部を開閉可能なカバーケースと、前記収容室内において前記フィクスチャーの前記下端部を支持するための下端ストッパと、前記収容室内において前記フィクスチャーの前記上端部を支持するための上端ストッパと、を備え、前記本体ケースは、前記下端ストッパを保持するための保持部を有し、前記保持部は、前記下端ストッパと前記上端ストッパとの間の距離を変更可能に前記下端ストッパを保持し、前記下端ストッパは、生体親和性を有する材料で形成されており、前記上端ストッパは、前記フィクスチャーの前記上端部または前記上端部に固定された部材を受け得るように構成されている。
【００１２】
この構成によると、フィクスチャーは、本体ケースの収容室において、上端ストッパと下端ストッパとに挟まれることで、本体ケースに支持される。その結果、フィクスチャーは、本体ケースおよびカバーケースに接触しない状態で、収容室に収容される。よって、フィクスチャーのうち歯槽骨との接触部に汚染が生じることは、抑制される。また、フィクスチャーの上端部は、患者の歯槽骨の骨組織と接触する度合いが小さい。このため、フィクスチャーの上端部と上端ストッパとの接触に起因してフィクスチャーの上端部に汚染が生じても、患者の骨組織の炎症を抑制できる。また、フィクスチャーの下端部は、患者の歯槽骨の骨組織と接触する部分ではあるけれども、生体親和性を有する下端ストッパと接触する。よって、フィクスチャーの下端部と下端ストッパとの接触によって、仮に、下端ストッパの表面の一部がフィクスチャーの下端部に付着しても、この付着物が患者の歯槽骨の骨組織との接触によって炎症を生じることを抑制できる。しかも、歯槽骨の骨組織は、主に、フィクスチャーの外周部に結合し、フィクスチャーの下端部との結合の度合いは小さい。よって、フィクスチャーの下端部に下端ストッパの材料が付着しても、骨組織との間で炎症を起こす度合いは、十分に小さい。また、下端ストッパは、上端ストッパに対して変位可能である。これにより、フィクスチャーのサイズに合わせて、下端ストッパの位置を調整できる。このため、フィクスチャーのサイズ毎に異なる部品を用意する必要がない。よって、歯科用インプラントパッケージにおいて、サイズの異なるフィクスチャーに対する汎用性を高くできる。
【００１３】
以上の次第で、本発明によると、歯科用インプラントパッケージにおいて、フィクスチャーのうちの患者の骨との接触部に汚染が生じることをより確実に抑制でき、且つ、サイズの異なるフィクスチャーに対する汎用性を高くできる。
【００１４】
（２）好ましくは、前記下端ストッパは、前記本体ケースに収容される前記フィクスチャーの材料と同じ材料で形成される。
【００１５】
この構成によると、仮に、下端ストッパの表面の一部がフィクスチャーに付着した場合でも、フィクスチャーが患者の骨組織に結合される際に、付着物に起因する炎症が生じることを抑制できる。
【００１６】
（３）好ましくは、前記下端ストッパは、プレート状に形成されている。
【００１７】
この構成によると、下端ストッパを簡易な形状にできる。また、たとえば、フィクスチャーの下端部が半球状などの凸形状であれば、下端ストッパとフィクスチャーとの接触面積をより小さくできる。これにより、下端ストッパの表面の一部がフィクスチャーに付着することを、より確実に抑制できる。
【００１８】
（４）好ましくは、前記保持部は、前記収容室に収容されたときの前記フィクスチャーの延びる方向に沿って離隔して配置された複数の保持溝部を含み、前記下端ストッパは、複数の前記保持溝部に択一的に保持される。
【００１９】
この構成によると、複数の保持溝部の何れかに下端ストッパを嵌めるという簡易な構成で、下端ストッパの位置を容易に設定できる。
【００２０】
（５）好ましくは、前記本体ケースは、前記フィクスチャーと協働して歯科インプラントを形成する協働部材を収容するための第２収容室を有し、前記第２収容室は、前記開口部が開かれたときに前記収容室とともに前記本体ケースの外部に露呈する。
【００２１】
この構成によると、カバーケースが本体ケースに対して変位されることで開口部が開かれたとき、協働部材は、フィクスチャーとともに本体ケースの外部に露呈する。これにより、術者は、フィクスチャーを本体ケースから取り外す作業と、協働部材を本体ケースから取り外す作業とを、より簡易にすることができる。
【００２２】
（６）好ましくは、前記フィクスチャーの前記上端部の外周を受けることが可能なサブストッパをさらに備え、前記サブストッパは、生体親和性を有する材料で形成されている。
【００２３】
この構成によると、サブストッパは、フィクスチャーの上端部の外周部を受けることで、フィクスチャーが本体ケースに接触することを、より確実に防止できる。また、サブストッパは、生体親和性を有する材料で形成されている。このため、サブストッパの表面の一部がフィクスチャーの上端部に付着した場合でも、フィクスチャーが汚染されることを抑制できる。特に、フィクスチャーの外周面の略全部が顎骨に埋め込まれるタイプのフィクスチャーは、当該フィクスチャーの汚染がより確実に抑制された状態で、本体ケースに保持され得る。
【００２４】
（７）好ましくは、前記フィクスチャーは、当該フィクスチャーの前記上端部に所定のマウントが結合された状態で前記収容室に収容されるように構成されており、前記歯科用インプラントパッケージは、前記マウントを受け且つ前記本体ケースに保持されるサポート部材をさらに備えている。
【００２５】
この構成によると、フィクスチャーは、サポート部材を介して本体ケースに保持される。これにより、フィクスチャーは、より堅固に本体ケースに保持される。
【００２６】
（８）好ましくは、前記歯科用インプラントパッケージは、前記本体ケースと前記カバーケースとを所定の軸回りに相対変位可能に連結する連結機構をさらに備えている。
【００２７】
この構成によると、術者は、カバーケースを本体ケースに対して回す簡易な操作で、開口部を開くことができる。
【００２８】
（９）好ましくは、前記上端ストッパは、前記フィクスチャーの前記上端面、または、前記上端部に固定された部材の上端面に結合可能である。
【００２９】
この構成によると、上端ストッパは、フィクスチャーのうち患者の歯槽骨と結合される部分との接触を避けた状態で、フィクスチャーを保持することができる。これにより、上端ストッパがフィクスチャーを汚染することを、より確実に抑制できる。
【００３０】
（１０）好ましくは、前記本体ケースは、前記上端ストッパに近い側の端部に、前記収容室に連続する第１延伸部を備え、前記カバーケースは、前記本体ケースの前記第１延伸部と共同して第２開口部を構成する第２延伸部を備え、前記歯科用インプラントパッケージは、前記第２開口部を封鎖するキャップ部材をさらに備えている。
【００３１】
この構成によると、術者は、キャップ部材を本体ケースから取り外すことにより、収容室内のフィクスチャーを取り出すことができる。これにより、術者は、カバーケースを開くことなく、本体ケースからフィクスチャーを取り出すことができる。
【００３２】
（１１）より好ましくは、前記本体ケースは、前記上端ストッパから遠い側の端部に、本体ケースを前記本体ケースの長手方向に直立した状態に置くためのケーススタンド部をさらに備えている。
【００３３】
この構成によると、ケーススタンド部によって本体ケースを安定的に直立させた状態で、キャップ部材をカバーケースおよび本体ケースから分離することができ、キャップ部材に覆われていた開口部を通して、フィクスチャーを容易に本体ケースから取り出すことができる。
【発明の効果】
【００３４】
本発明によると、歯科用インプラントパッケージにおいて、フィクスチャーのうちの患者の骨との接触部に汚染が生じることをより確実に抑制でき、且つ、サイズの異なるフィクスチャーに対する汎用性を高くできる。
【図面の簡単な説明】
【００３５】
【図１】本発明の一実施形態に係る歯科用インプラントパッケージの斜視図である。
【図２】図１のＩＩ−ＩＩ線に沿う断面図であり、歯科用インプラントパッケージに歯科用インプラントの一部材としてのフィクスチャーおよびカバースクリューが収容された状態を示している。
【図３】歯科用インプラントパッケージの側面図である。
【図４】図２のＩＶ−ＩＶ線に沿う断面図であり、断面の奥側に見える部材の図示を省略している。
【図５】第１の変形例を示す断面図である。
【図６】第２の変形例を示す断面図である。
【図７】図６のＶＩＩ−ＶＩＩ線に沿う断面図であり、断面の奥側に見える部材の図示を省略している。
【図８】別の実施形態について説明するための斜視図である。
【発明を実施するための形態】
【００３６】
以下、本発明を実施するための形態について図面を参照しつつ説明する。なお、本発明は、歯科インプラント手術に用いられるフィクスチャーを収容する歯科用インプラントパッケージとして、広く適用することができる。
【００３７】
図１は、本発明の一実施形態に係る歯科用インプラントパッケージ１の斜視図である。図２は、図１のＩＩ−ＩＩ線に沿う断面図であり、歯科用インプラントパッケージ１に歯科用インプラントの一部材としてのフィクスチャー２およびカバースクリュー３が収容された状態を示している。図３は、歯科用インプラントパッケージ１の側面図である。図４は、図２のＩＶ−ＩＶ線に沿う断面図であり、断面の奥側に見える部材の図示を省略している。
【００３８】
図１〜図４を参照して、歯科用インプラントパッケージ１は、フィクスチャー２およびカバースクリュー３を収容保管するための保管容器として用いられる。歯科用インプラントパッケージ１の説明に先立ち、フィクスチャー２の構成を説明する。
【００３９】
フィクスチャー２は、歯を失った患者の口腔内に設置され、失われた歯の機能を当該歯に代わって発揮するために用いられる。本実施形態のフィクスチャー２は、いわゆる、ボーンレベル仕様のフィクスチャー２である。フィクスチャー２のうち上端面２ａ以外の部分が、患者の顎骨の歯槽骨またはおよび歯肉（図示せず）に埋設される。フィクスチャー２は、患者の歯槽骨に固定され、且つ義歯（図示せず）を歯槽骨に固定するために設けられている。
【００４０】
フィクスチャー２は、生体親和性を有する材料を用いて形成されている。尚、生体親和性を有する材料とは、生体組織との馴染みが良い材料をいう。換言すれば、生体親和性を有する材料とは、生体組織に接触した際に長期的、慢性的な炎症反応を引き起こさず、周囲組織と良好な密着状態を維持することができる材料をいう。生体親和性を有する材料として、純チタン、チタン合金、コバルト・クロム系合金、ステンレス鋼（ＳＵＳ３１６等）等の金属材料、および、アルミナセラミック等のセラミック材料を例示することができる。本実施形態では、フィクスチャー２は、金属材料によって形成されている。
【００４１】
フィクスチャー２は、細長い棒状に形成された一体成形品である。フィクスチャー２の外周部には、雄ねじ部２ｄが形成されている。フィクスチャー２の雄ねじ部２ｄは、歯槽骨にねじ込まれて当該歯槽骨に固定される。
【００４２】
フィクスチャー２は、歯槽骨を覆う歯肉が切除された状態で、患者の歯槽骨にねじ込まれる。そして、フィクスチャー２が歯槽骨にねじ込まれてからたとえば数か月経過することにより、歯槽骨の骨細胞が、フィクスチャー２の外周部に結合（骨性結合）する。
【００４３】
フィクスチャー２の下端部２ｃは、患者の歯槽骨の奥側に挿入される。また、この下端部２ｃとは反対側の端部としての上端部２ｂは、患者の歯肉の表面近傍に配置される。フィクスチャー２の上端面２ａは、平坦な面である。フィクスチャー２には、フィクスチャー２の上端面２ａからフィクスチャー２の軸方向に延びる孔部２ｅが形成されている。フィクスチャー２の孔部２ｅは、たとえば、雌ねじ孔であり、フィクスチャー２を歯槽骨に取り付けるための工具孔、および、カバースクリュー３に取り付けられる部分として設けられている。
【００４４】
カバースクリュー３は、フィクスチャー２にねじ結合される小片状の部材である。ここで、フィクスチャー２の外周部は、患者の歯槽骨の骨細胞と結合する。このため、当該外周部に汚染が生じると、歯槽骨に炎症などが生じるおそれがある。この場合の汚染とは、フィクスチャー２の外周部に、歯槽骨の炎症などを生じさせる原因となる物質が付着することをいう。このような汚染の原因物質として、合成樹脂を例示することができる。
【００４５】
歯科用インプラントパッケージ１は、全体として、細長い形状に形成されている。歯科用インプラントパッケージ１のうち当該歯科用インプラントパッケージ１の外部に露呈している部分は、合成樹脂で形成されている。歯科用インプラントパッケージ１は、術者によるフィクスチャー２の取り出し作業、および、術者によるカバースクリュー３の取り出し作業が容易となるように構成されている。また、歯科用インプラントパッケージ１は、フィクスチャー２を保持するための部品（後述する下端ストッパ９）の位置を、フィクスチャー２のサイズに応じて変更可能に構成されている。
【００４６】
歯科用インプラントパッケージ１は、本体ケース５と、カバーケース６と、第１キャップ部材７と、サブストッパ８と、下端ストッパ９と、第２キャップ部材１０と、を有している。
【００４７】
本実施形態では、フィクスチャー２のうち患者の歯槽骨または歯肉に直接接触する部分を受ける部分は、生体親和性を有する材料を用いて形成されている。また、歯科用インプラントパッケージ１において、外部に露出する部分は、合成樹脂を用いて形成されている。
【００４８】
本体ケース５は、フィクスチャー２、および、カバースクリュー３を収容する部分として設けられている。本体ケース５は、細長い形状に形成されている。以下、本体ケース５の長手方向を、単に、長手方向Ｘ１という。長手方向Ｘ１は、本体ケース５の後述する第１収容室１３にフィクスチャー２が収容されているときの当該フィクスチャー２の延びている方向でもある。本体ケース５は、中空に形成されている。本体ケース５の内部の空間は、本体ケース５の外部の空間に露呈可能に構成されている。本体ケース５の一側部は、カバーケース６によって閉じられており、開閉可能である。
【００４９】
本体ケース５は、連結軸部１１と、スペーサ部１２と、第１収容室１３と、第２収容室１４と、第１鍔部１５と、第１延伸部１６と、を有している。
【００５０】
連結軸部１１は、カバーケース６に連結される部分として設けられている。カバーケース６は、後述するように、本体ケース５に対して連結軸部１１回りに揺動変位可能である。連結軸部１１は、長手方向Ｘ１における本体ケース５の一端部を構成している。連結軸部１１は円筒状に形成されている。連結軸部１１が延びる方向は、長手方向Ｘ１と直交する厚み方向Ｙ１である。厚み方向Ｙ１は、歯科用インプラントパッケージ１の厚み方向である。連結軸部１１は、有底の円筒状に形成されており、当該連結軸部１１の一端部が閉じられている。連結軸部１１内の空間に、歯科インプラント手術に用いられる部材などが収容されてもよい。連結軸部１１は、スペーサ部１２と長手方向Ｘ１に隣接している。
【００５１】
スペーサ部１２は、第２収容室１４を配置するためのスペース（空間）を、連結軸部１１と第１収容室１３との間に形成するために設けられている。スペーサ部１２は、連結軸部１１から長手方向Ｘ１の一方に向けて延びている、スペーサ部１２は、長手方向Ｘ１と直交する断面での形状が、たとえば、Ｕ字状に形成されている。スペーサ部１２の開口部の向きは、連結軸部１１の開口部の向きと同じである。スペーサ部１２は、第２収容室１４を保持している。
【００５２】
第２収容室１４は、本体ケース５の一端部寄りに配置されている。第２収容室１４は、カバースクリュー３を収容するために設けられている。カバースクリュー３は、本発明の「協働部材」の一例であり、フィクスチャー２と協働して歯科インプラントを形成する。なお、第２収容室１４は、カバースクリュー３以外の部材が収容されてもよい。カバースクリュー３は、生体親和性を有する材料を用いて形成された、小片状の部材であり、歯科インプラント手術時にフィクスチャー２に固定される。
【００５３】
第２収容室１４は、外筒部１４ａと、受け部１４ｂと、窪み部１４ｃと、を有している。
【００５４】
外筒部１４ａは、カバースクリュー３を取り囲む部分として設けられている。外筒部１４ａは、たとえば、円筒状に形成されており、スペーサ部１２を厚み方向Ｙ１に貫通している。外筒部１４ａは、連結軸部１１と平行に並んでいる。外筒部１４ａは、受け部１４ｂによって塞がれている。
【００５５】
受け部１４ｂは、カバースクリュー３を受ける部分として設けられている。本実施形態では、受け部１４ｂは、厚み方向Ｙ１における外筒部１４ａの中間部に配置されている。受け部１４ｂの外周部は、環状の円板状に形成されている。また、受け部１４ｂの中心部には、窪み部１４ｃが形成されている。窪み部１４ｃは、外筒部１４ａから突出しないように配置されている。外筒部１４ａ、受け部１４ｂ、および、窪み部１４ｃで囲まれた空間に、カバースクリュー３が収容される。上記の構成を有する第２収容室１４は、第１収容室１３に隣接している。
【００５６】
第１収容室１３は、長手方向Ｘ１における本体ケース５の他端部寄りに配置されている。第１収容室１３は、１つのフィクスチャー２を収容するために設けられている。第１収容室１３は、長手方向Ｘ１に細長く延びており、フィクスチャー２を収容可能であり、且つ、フィクスチャー２とはサイズの異なるフィクスチャー（図示せず）を択一的に収容することも可能である。
【００５７】
第１収容室１３は、スペーサ部１２から長手方向Ｘ１の一方に向けて延びている、第１収容室１３は、長手方向Ｘ１と直交する断面での形状が、たとえば、Ｕ字状に形成されている。第１収容室１３で囲まれた空間は、本体ケース５の外部に露呈している。第１収容室１３の内部の空間が開放されている方向（本実施形態では、厚み方向Ｙ１の一方）は、スペーサ部１２（第２収容室１４）の内部の空間が開放されている方向と同じである。すなわち、第１収容室１３の開口部の向きは、スペーサ部１２の開口部の向きと同じである。第１収容室１３の開口部と、スペーサ部１２の開口部は、協働して、本体ケース５の開口部１８を形成している。
【００５８】
本体ケース５の開口部１８は、フィクスチャー２およびカバースクリュー３を本体ケース５の第１収容室１３および第２収容室１４に対して出し入れするために設けられており、第１収容室１３および第２収容室１４に連続している。開口部１８は、スペーサ部１２内の空間、第１収容室１３内の空間、および、第２収容室１４内の空間を、厚み方向Ｙ１の一方に開放している。厚み方向Ｙ１の一方側における開口部１８の端面は、平坦な面に形成されており、カバーケース６と実質的に隙間無く接触可能である。
【００５９】
第１収容室１３は、保持部１９を有している。
【００６０】
保持部１９は、下端ストッパ９を保持するために設けられている。また、保持部１９は、長手方向Ｘ１における下端ストッパ９の位置を変更可能に構成されている。具体的には、保持部１９は、複数の保持溝部２０を有している。
【００６１】
複数の保持溝部２０は、下端ストッパ９に択一的に結合される部分として設けられている。また、保持溝部２０は、サブストッパ８に択一的に結合される部分として設けられている。保持溝部２０は、長手方向Ｘ１に沿って略等間隔に離隔して複数配置されている。各保持溝部２０は、長手方向Ｘ１から見てＵ字状に形成されており、開口部１８に開放されている。第１収容室１３に複数の保持溝部２０が形成されていることにより、第１収容室１３は、蛇腹形状に形成されている。この構成により、第１収容室１３の剛性（曲げ剛性、ねじり剛性など）が向上されている。上記の構成を有する第１収容室１３は、第１鍔部１５に隣接している。
【００６２】
第１鍔部１５は、本体ケース５が机に置かれた際に机に受けられる部分として設けられている。第１鍔部１５は、第１収容室１３の一端部に隣接しており、長手方向Ｘ１と直交する方向に延びる板状に形成されている。第１鍔部１５から、第１延伸部１６が延びている。
【００６３】
第１延伸部１６は、第１キャップ部材７によってカバーケース６と結合される部分として設けられている。第１延伸部１６は、本体ケース５のうちの上端ストッパ７ｅに近い側の端部に形成されており、第１収容室１３に連続している。第１延伸部１６は、第１鍔部１５に繋がる基端部において、湾曲状に形成されており、先端部において、円筒の一部の形状に形成されている。第１延伸部１６は、長手方向Ｘ１と直交する断面における形状が、半円状に形成されている。第１延伸部１６がカバーケース６を固定することで、開口部１８が開かれることは、規制される。
【００６４】
カバーケース６は、開口部１８を開閉するために設けられている。カバーケース６は、本体ケース５の材料と同じ材料（合成樹脂）を用いて形成されている。なお、カバーケース６の材料は、本体ケース５の材料と異なっていてもよい。カバーケース６は、本体ケース５に対して連結軸部１１回りに回転（揺動）変位することにより、開口部１８を開閉する。カバーケース６は、長手方向Ｘ１に細長く延びている。
【００６５】
カバーケース６は、カバーケース本体２１と、リブ２２と、摘まみ部２３と、第２鍔部２４と、第２延伸部２５と、を有している。
【００６６】
カバーケース本体２１は、厚み方向Ｙ１と直交する方向に延びる薄板状の部分である。カバーケース本体２１は、連結軸部１１から第１鍔部１５にかけて配置されている。
【００６７】
カバーケース本体２１の一端部は、環状に形成されており、嵌合孔部２６を有している。嵌合孔部２６は、カバーケース６を厚み方向Ｙ１に貫通する孔部であり、連結軸部１１に嵌合されている。このように、カバーケース６の嵌合孔部２６と、本体ケース５の連結軸部１１とを含む連結機構２７が設けられている。この連結機構２７によって、本体ケース５とカバーケース６とが連結軸部１１回りに相対回転可能に連結されている。
【００６８】
カバーケース本体２１の中間部および他端部は、長手方向Ｘ１に細長く延びており、開口部１８を覆うことが可能な形状に形成されている。カバーケース６が開口部１８を塞いでいるとき、カバーケース６の中間部および他端部は、開口部１８のうち厚み方向Ｙ１の一方側の端部に接触している。一方、カバーケース６が開口部１８を開いているとき、カバーケース６の中間部および他端部は、開口部１８から離隔した位置に配置され、第１収容室１３および第２収容室１４を歯科用インプラントパッケージ１の外部に露呈させる。カバーケース本体２１の他端部に、摘まみ部２３が設けられている。
【００６９】
摘まみ部２３は、術者が開口部１８を開閉する際に術者によって摘ままれる部分として設けられている。摘まみ部２３は、カバーケース本体２１の他端部の上面に形成された小片状の突起であり、カバーケース本体２１の一縁部に配置されている。摘まみ部２３は、リブ２２と隣接している。
【００７０】
リブ２２は、カバーケース６の剛性（曲げ剛性、ねじり剛性など）を高めるために設けられている。リブ２２は、カバーケース本体２１の幅方向の中央に配置されており、カバーケース本体２１の上面において、長手方向Ｘ１に細長く延びている。リブ２２は、カバーケース本体２１の中間部から他端部にかけて延びている。リブ２２は、第２鍔部２４に連続している。
【００７１】
第２鍔部２４は、第１鍔部１５と協働して、矩形状の鍔部を形成する部分として設けられている。第２鍔部２４は、第２キャップ部材１０が第１収容室１３側に過度に変位することを規制するストッパとしても設けられている。第２鍔部２４は、第１鍔部１５と厚み方向Ｙ１に隣接して配置されており、長手方向Ｘ１と直交する方向に延びる板状に形成されている。第２鍔部２４から、第２延伸部２５が延びている。
【００７２】
第２延伸部２５は、第１キャップ部材７によってカバーケース６と結合される部分として設けられている。第２延伸部２５は、本体ケース５の第１延伸部１６と共同して第２開口部３０を構成する。第２開口部３０は、円柱状の空間を形成している。第２延伸部２５と第１延伸部１６は、厚み方向Ｙ１に対称な形状に形成されている。第２延伸部２５は、第２鍔部２４に繋がる基端部において、湾曲状に形成されており、先端部において、円筒の一部の形状に形成されている。第２延伸部２５は、長手方向Ｘ１と直交する断面における形状が、半円状に形成されている。第２延伸部２５の先端部、および、第１延伸部１６の先端部は、合わされることで円筒形状となり、第１キャップ部材７に嵌合される。
【００７３】
第１キャップ部材７は、カバーケース６を本体ケース５に固定するために設けられている。第１キャップ部材７は、本体ケース５と同様の材料を用いて形成された一体成形品である。第１キャップ部材７は、本体ケース５およびカバーケース６に対して着脱可能である。第１キャップ部材７は、本発明の「キャップ部材」の一例であり、第２開口部３０を封鎖している。第１キャップ部材７は、第２開口部３０に対して着脱可能である。
【００７４】
第１キャップ部材７は、外周部７ａと、内周部７ｂと、端面部７ｃと、底面部７ｄと、上端ストッパ７ｅと、を有している。
【００７５】
外周部７ａおよび内周部７ｂは、円筒状に形成されている。外周部７ａは、内周部７ｂを取り囲んでいる。外周部７ａの全長は、内周部７ｂの全長よりも大きくされている。外周部７ａの外周面は、凹凸状の起伏を有しており、術者の指が触れる滑り止め部を形成している。外周部７ａの一端部と外周部７ａの一端部は、端面部７ｃによって互いに接続されている。
【００７６】
第１キャップ部材７が本体ケース５およびカバーケース６に取り付けられた状態（取付状態）において、外周部７ａは、第１鍔部１５および第２鍔部２４に隣接している。また、取付状態において、内周部７ｂは、第１延伸部１６および第２延伸部２５に圧入固定されている。これにより、カバーケース６が本体ケース５に対して揺動することが規制されている。
【００７７】
底面部７ｄは、筒状の内周部７ｂを塞ぐように配置された円板状の部分である。底面部７ｄは、上端ストッパ７ｅを支持している。
【００７８】
上端ストッパ７ｅは、第１収容室１３内においてフィクスチャー２の上端部２ｂを支持するために設けられている。上端ストッパ７ｅは、底面部７ｄから長手方向Ｘ１に沿って延びる軸状に形成されている。
【００７９】
上端ストッパ７ｅは、太軸部３１と、羽根部３２と、細軸部３３とを有している。
【００８０】
太軸部３１は、底面部７ｄから長手方向Ｘ１に延びる丸軸状の部分である。太軸部３１は、第１延伸部１６および第２延伸部２５で囲まれた空間から第１収容室１３に向けて延びている。太軸部３１には、複数の羽根部３２が形成されている。
【００８１】
羽根部３２は、フィクスチャー２の上端面２ａを支えることが可能に構成されている。羽根部３２は、太軸部３１の周方向に等間隔に配置されている。各羽根部３２の先端部は、フィクスチャー２の上端面２ａに接触する。太軸部３１の先端から細軸部３３が延びている。
【００８２】
細軸部３３は、フィクスチャー２の上端部２ｂの孔部２ｅに嵌合し、孔部２ｅを押さえることが可能に構成されている。細軸部３３の直径は、孔部２ｅの直径（内径）よりも小さく設定されている。細軸部３３の長さは、太軸部３１の長さよりも短く設定されている。細軸部３３は、フィクスチャー２の孔部２ｅの底面に接触する。
【００８３】
なお、上端ストッパ７ｅは、フィクスチャー２のうち患者の歯槽骨に接触する部分に接触せず、且つ、患者の歯肉に接触する部分にも接触しない。よって、仮に、上端ストッパ７ｅの表面の一部がフィクスチャー２に付着したとしても、付着物は、患者に炎症を起こす原因とはならずに済む。細軸部３３は、サブストッパ８に取り囲まれている。
【００８４】
サブストッパ８は、第１収容室１３内においてフィクスチャー２の上端部２ｂの外周に嵌合するために設けられている。サブストッパ８は、環状の薄板部材として形成されている。サブストッパ８は、生体親和性を有する材料で形成されている。本実施形態では、サブストッパ８は、フィクスチャー２の材料と同じ材料で形成されている。
【００８５】
サブストッパ８は、フィクスチャー２の上端部２ｂにすきまばめとなるように嵌合している、また、サブストッパ８は、１つの保持溝部２０に保持される。すなわち、サブストッパ８の外径は、サブストッパ８と保持溝部２０との嵌合が可能な値に設定されている。サブストッパ８は、下端ストッパ９と長手方向Ｘ１に並んでいる。
【００８６】
下端ストッパ９は、第１収容室１３内においてフィクスチャー２の下端部２ｃを支持するために設けられている。下端ストッパ９は、円板状の薄板部材（プレート状部材）として形成されている。下端ストッパ９は、生体親和性を有する材料で形成されている。本実施形態では、下端ストッパ９は、フィクスチャー２の材料と同じ材料で形成されている。同じ材料とは、例えばフィクスチャー２がチタン合金製または純チタン製であれば、下端ストッパ９はチタンを主な構成成分とする種々のチタン合金または純チタンで構成されている、という意味であり、両者が全く同一の材料から構成されていなければならないという意味では無い。下端ストッパ９の中央部は、窪み部９ａを有しており、フィクスチャー２の下端部の形状に対応する曲面状に形成されている。
【００８７】
また、下端ストッパ９は、保持溝部２０に保持される。すなわち、下端ストッパ９の外径は、下端ストッパ９と保持溝部２０との嵌合が可能な値に設定されている。下端ストッパ９は、複数の保持溝部２０の何れか１つに嵌合されることで、本体ケース５に位置決めされ、且つ、保持される。このような構成により、保持部１９は、下端ストッパ９と上端ストッパ７ｅとの間の距離を変更可能な態様で、下端ストッパ９を保持可能である。
【００８８】
上記の構成により、フィクスチャー２は、上端ストッパ７ｅと下端ストッパ９とによって、長手方向Ｘ１に挟まれて保持されており、第１収容室１３内における長手方向Ｘ１の変位が規制されている。また、フィクスチャー２は、下端ストッパ９の窪み部９ａとサブストッパ８とに受けられることにより、第１収容室１３内において、長手方向Ｘ１と直交する方向の変位が規制されている。
【００８９】
第２キャップ部材１０は、カバーケース６が本体ケース５から抜けることを防止するために設けられている。また、本実施形態では、第２キャップ部材１０は、連結軸部１１内の空間を塞ぐために設けられている。第２キャップ部材１０は、本体ケース５の連結軸部１１に対して着脱可能である。本実施形態では、第２キャップ部材１０は、第１キャップ部材７と同じ材料を用いており、且つ、第１キャップ部材７と同じ形状を有している。これにより、第１キャップ部材７と第２キャップ部材１０を共通化できる。その結果、歯科用インプラントパッケージ１の製造コストを、より低減できる。
【００９０】
第２キャップ部材１０は、外周部１０ａと、内周部１０ｂと、端面部１０ｃと、底面部１０ｄと、上端ストッパ１０ｅと、を有している。
【００９１】
外周部１０ａおよび内周部１０ｂは、円筒状に形成されている。外周部１０ａは、内周部１０ｂを取り囲んでいる。外周部１０ａの全長は、内周部１０ｂの全長よりも大きくされている。外周部１０ａの外周面は、凹凸状の起伏を有しており、術者の指が触れる滑り止め部を形成している。外周部１０ａの一端部と外周部１０ａの一端部は、端面部１０ｃによって互いに接続されている。
【００９２】
内周部１０ｂは、連結軸部１１に圧入固定されている。外周部１０ａは、カバーケース６の嵌合孔部２６の周縁部を押さえている。これにより、カバーケース６が連結軸部１１から抜けることは、規制されている。
【００９３】
底面部１０ｄは、内周部１０ｂの他端部を塞ぐように配置された円板状の部分である。底面部１０ｄは、上端ストッパ１０ｅを支持している。
【００９４】
上端ストッパ１０ｅは、連結軸部１１内の空間に収容される部材を支持するために設けられている。上端ストッパ１０ｅは、底面部１０ｄから長手方向Ｘ１に沿って延びる軸状に形成されている。
【００９５】
上記の構成を有する歯科用インプラントパッケージ１へフィクスチャー２およびカバースクリュー３を取り付ける手順は、以下の通りである。すなわち、フィクスチャー２およびカバースクリュー３の製造工場において、作業員は、カバーケース６を操作することで、開口部１８を開く。これにより、開口部１８を通して、第１収容室１３、および、第２収容室１４は、歯科用インプラントパッケージ１の外部に露呈する。
【００９６】
この状態で、作業員は、カバースクリュー３を第２収容室１４に収容するとともに、フィクスチャー２を第１収容室１３に収容する。この際、フィクスチャー２は、サブストッパ８に嵌合され、且つ、下端ストッパ９に受けられるようにして、第１収容室１３に収容される。次に、作業員がカバーケース６を連結軸部１１回りに変位させることで、カバーケース６は、開口部１８を塞ぐように変位する。
【００９７】
次に、作業員は、第１キャップ部材７の内周部７ｂを、第１延伸部１６および第２延伸部２５で形成された第２開口部３０（円筒状部分）に圧入固定する。これにより、第１キャップ部材７の上端ストッパ部７ｅは、フィクスチャー２の上端部２ｂを押さえる。
【００９８】
次に、歯科用インプラントパッケージ１は、包装容器（図示せず）に収容される。次いで、歯科用インプラントパッケージ１に収容されたフィクスチャー２およびカバースクリュー３は、γ線照射装置（図示せず）によるγ線照射によって、滅菌処理を施される。
【００９９】
上記のフィクスチャー２が歯科用インプラントパッケージ１から取り出される際には、まず、術者が、包装容器から歯科用インプラントパッケージ１を取り出す。次に、術者は、第１キャップ部材７を本体ケース５およびカバーケース６から引抜く。そして、術者は、カバーケース６を連結軸部１１回りに変位させることで、開口部１８を開く。この状態で、術者は、フィクスチャー２およびカバースクリュー３を対応する第１収容室１３および第２収容室１４から取り出す。なお、術者は、カバーケース６を連結軸部１１回りに変位させることなく、第２開口部３０からフィクスチャー２を取り出してもよい。
【０１００】
以上説明したように、本実施形態に係る歯科用インプラントパッケージ１によると、フィクスチャー２は、本体ケース５の第１収容室１３において、上端ストッパ７ｅと下端ストッパ９とに挟まれることで、本体ケース５に支持される。その結果、フィクスチャー２は、合成樹脂製の本体ケース５およびカバーケース６に接触しない状態で、第１収容室１３に収容される。よって、フィクスチャー２のうち歯槽骨との接触部（フィクスチャー２の外周部）に汚染が生じることは、抑制される。また、フィクスチャー２の上端部２ｂは、患者の歯槽骨の骨組織と接触する度合いが小さい。このため、フィクスチャー２の上端部２ｂと上端ストッパ７ｅとの接触に起因してフィクスチャー２の上端部２ｂに汚染が生じても、患者の骨組織の炎症を抑制できる。また、フィクスチャー２の下端部２ｃは、患者の歯槽骨の骨組織と接触する部分ではあるけれども、生体親和性を有する下端ストッパ７ｅと接触する。よって、フィクスチャー２の下端部２ｃと下端ストッパ９との接触によって、仮に、下端ストッパ９の表面の一部がフィクスチャー２の下端部２ｃに付着しても、この付着物が患者の歯槽骨の骨組織との接触によって炎症を生じることを抑制できる。しかも、歯槽骨の骨組織は、主に、フィクスチャー２の外周部に結合し、フィクスチャー２の下端部２ｃとの結合の度合いは小さい。よって、フィクスチャー２の下端部２ｃに下端ストッパ９の材料が付着しても、骨組織との間で炎症を起こす度合いは、十分に小さい。また、下端ストッパ９は、上端ストッパ７ｅに対して変位可能である。これにより、フィクスチャー２のサイズに合わせて、下端ストッパ９の位置を調整できる。このため、フィクスチャー２のサイズ毎に異なる部品を用意する必要がない。よって、歯科用インプラントパッケージ１において、サイズの異なるフィクスチャーに対する汎用性を高くできる。
【０１０１】
以上の次第で、歯科用インプラントパッケージ１において、フィクスチャー２のうちの患者の骨との接触部に汚染が生じることをより確実に抑制でき、且つ、サイズの異なるフィクスチャーに対する汎用性を高くできる。
【０１０２】
また、歯科用インプラントパッケージ１によると、下端ストッパ９は、フィクスチャー２の材料と同じ材料で形成される。この構成によると、仮に、下端ストッパ９の表面の一部がフィクスチャー２に付着した場合でも、フィクスチャー２が患者の骨組織に結合される際に、付着物に起因する炎症が生じることを抑制できる。
【０１０３】
また、歯科用インプラントパッケージ１によると、下端ストッパ９は、プレート状に形成されている。この構成によると、下端ストッパ９を簡易な形状にできる。また、フィクスチャー２の下端部２ｃは、半球状の凸形状である。このため、下端ストッパ９とフィクスチャー２との接触面積をより小さくできる。これにより、下端ストッパ９の表面の一部がフィクスチャー２に付着することを、より確実に抑制できる。
【０１０４】
また、歯科用インプラントパッケージ１によると、下端ストッパ９は、本体ケース５に形成された複数の保持溝部２０に択一的に保持される。この構成によると、複数の保持溝部２０の何れかに下端ストッパ９を嵌めるという簡易な構成で、下端ストッパ９の位置を容易に設定できる。
【０１０５】
また、歯科用インプラントパッケージ１によると、本体ケース５の第２収容室１４は、開口部１８が開かれたときに第１収容室１３とともに本体ケース５の外部に露呈する。この構成によると、カバーケース６が本体ケース５に対して変位されることで開口部１８が開かれたとき、第２収容室１４に収容されたカバースクリュー３は、フィクスチャー２とともに本体ケース５の外部に露呈する。これにより、術者は、フィクスチャー２を本体ケース５から取り外す作業と、カバースクリュー３を本体ケース５から取り外す作業とを、より簡易にすることができる。
【０１０６】
また、歯科用インプラントパッケージ１によると、サブストッパ８は、フィクスチャー２の上端部２ｂの外周部を受ける。これにより、フィクスチャー２が本体ケース５に接触することを、より確実に防止できる。また、サブストッパ８は、生体親和性を有する材料で形成されている。このため、サブストッパ８の表面の一部がフィクスチャー２の上端部２ｂに付着した場合でも、フィクスチャー２が汚染されることを抑制できる。特に、フィクスチャー２の外周部の略全部が歯槽骨または歯肉に埋め込まれるタイプのフィクスチャー２は、当該フィクスチャー２の汚染がより確実に抑制された状態で、本体ケース５に保持される。
【０１０７】
また、歯科用インプラントパッケージ１によると、連結機構２７が設けられていることにより、術者は、カバーケース６を本体ケース５の連結軸部１１に対して回す簡易な操作で、開口部１８を開くことができる。
【０１０８】
また、歯科用インプラントパッケージ１によると、上端ストッパ７ｅは、フィクスチャー２の上端部２ｂの上端面２ａに結合可能である。この構成によると、上端ストッパ７ｅは、フィクスチャー２のうち患者の歯槽骨と結合される部分との接触を避けた状態で、フィクスチャー２を保持することができる。これにより、上端ストッパ７ｅがフィクスチャー２を汚染することを、より確実に抑制できる。
【０１０９】
また、歯科用インプラントパッケージ１によると、術者は、第１キャップ部材７を本体ケース５から取り外すことにより、第１収容室１３内のフィクスチャー２を取り出すことができる。これにより、術者は、カバーケース６を開くことなく、本体ケース５からフィクスチャー２を取り出すことができる。
【０１１０】
以上、本発明の実施形態について説明したけれども、本発明は上述の実施の形態に限られず、特許請求の範囲に記載した限りにおいて様々な変更が可能である。たとえば、次のように変更して実施してもよい。
【０１１１】
（１）前述の実施形態では、外周部の全部が歯槽骨または歯肉に埋設されるタイプのフィクスチャー２が、歯科用インプラントパッケージ１に収容される形態を例に説明した。しかしながら、この通りでなくてもよい。たとえば、図５に示すように、外周部の一部が歯槽骨または歯肉に埋設されるタイプのフィクスチャー２Ａが、歯科用インプラントパッケージ１に収容されてもよい。
【０１１２】
フィクスチャー２Ａは、いわゆる、ワンピースタイプのフィクスチャーである。フィクスチャー２Ａは、長手方向Ｘ１に細長い軸状に形成されている、フィクスチャー２Ａは、患者の歯槽骨または歯肉に埋設される埋設部５０と、患者の歯肉から露出する露出部５１と、を有している。
【０１１３】
埋設部５０は、長手方向Ｘ１におけるフィクスチャー２Ａの略半分に設けられており、フィクスチャー２Ａの下端部２ｃを含んでいる。露出部５１は、人工歯（図示せず）を固定する部分として設けられている。露出部５１は、長手方向Ｘ１におけるフィクスチャー２Ａの略半分に設けられており、フィクスチャー２Ａの上端部２ｂを含んでいる。
【０１１４】
フィクスチャー２Ａの下端部２ｃは、下端ストッパ９に受けられている。下端ストッパ９は、複数の保持溝部２０のうち、上端ストッパ７ｅから最も離隔した位置の保持溝部２０に保持されている。
【０１１５】
このように、歯科用インプラントパッケージ１は、フィクスチャー２とはサイズの異なるフィクスチャー２Ａについても、本体ケース５に対する下端ストッパ９の位置を変更する簡易な構成で、収容することができる。
【０１１６】
（２）また、上述の実施形態および変形例では、フィクスチャー２，２Ａが、単品の状態で歯科用インプラントパッケージ１に収容される形態を例に説明した。しかしながら、この通りでなくてもよい。たとえば、図６、および、図６のＶＩＩ−ＶＩＩ線に沿う断面図である図７に示すように、歯科用インプラントパッケージ１は、マウント５５が取り付けられたフィクスチャー２Ｂを収容してもよい。
【０１１７】
フィクスチャー２Ｂは、いわゆる、ティッシュレベル（Tissue Level）仕様のフィクスチャーである。フィクスチャー２Ｂは、歯槽骨埋設部５０と、歯肉接触部５２と、が長手方向Ｘ１に順に並んだ構成を有している。
【０１１８】
歯槽骨埋設部５０は、患者の歯槽骨に埋設される部位であり、その外周面に図示しない雄ねじ部を有する。歯槽骨埋設部５０は、フィクスチャー２Ｂの下端部２ｃを含んでいる。歯肉接触部５２は、患者の歯肉に接触する部位であり、歯槽骨埋設部５０から長手方向Ｘ１の一方に延びている。歯肉接触部５２は、テーパ状の外周面を有する部分であり、歯槽骨埋設部５０から離隔するほど、外径が大きくなる形状を有している。歯肉接触部５２は、フィクスチャー２Ｂの上端部２ｂを含んでいる。この上端部２ｂには、雌ねじ部５３が形成されている。
【０１１９】
雌ねじ部５３は、フィクスチャー２Ｂが歯槽骨に固定された後で、たとえば、カバースクリュー３が固定される部分として設けられている。フィクスチャー２Ｂが患者に設置される前の状態において、雌ねじ部５３には、マウント５５が固定されている。すなわち、フィクスチャー２Ｂは、当該フィクスチャー２Ｂの上端部２ｂにマウント５５が結合された状態で第１収容室１３に収容される。
【０１２０】
マウント５５は、フィクスチャー２Ｂを第１収容室１３から患者の歯槽骨へ搬送するために用いられる。マウント５５は、たとえば、四角柱状に形成されている。マウント５５の下端部には、雄ねじ部５６が形成されている。この雄ねじ部５６は、フィクスチャー２Ｂの雌ねじ部５３にねじ結合している。マウント５５には、孔部５７が形成されている。この孔部５７には、第１キャップ部材７の上端ストッパ７ｅの細軸部３３が嵌合している。また、上端ストッパ７ｅの羽根部３２は、マウント５５の上端部の上端面５８に結合されており、この上端面５８を押さえている。
【０１２１】
この変形例においては、歯科用インプラントパッケージ１は、サポート部材４０をさらに備えている。
【０１２２】
サポート部材４０は、マウント５５を受け且つ本体ケース５に保持される部分として設けられている。サポート部材４０は、本体ケース５と同様の材料（合成樹脂）で形成されている。マウント５５は、患者に触れることを意図されている部材ではない。このため、マウント５５を支持するサポート部材４０は、生体親和性を有していなくてもよい。
【０１２３】
サポート部材４０は、溝嵌合部４１と、中間部４２と、挟持部４３と、を有している。
【０１２４】
溝嵌合部４１は、本体ケース５の保持溝部２０に嵌合される部分として設けられている。溝嵌合部４１は、たとえば、半円形状に形成されており、保持溝部２０に嵌合可能に形成されている。溝嵌合部４１は、開口部１８側に向けて開放されている。溝嵌合部４１からは、半円形状の受け部４１ａが延びており、第１収容室１３の内側面に受けられている。上記の構成により、サポート部材４０と本体ケース５とがより確実に結合される。溝嵌合部４１は、中間部４２に連続している。
【０１２５】
中間部４２は、溝嵌合部４１から長手方向Ｘ１に沿って第１キャップ部材７側に延びる部分として設けられている。中間部４２は、溝嵌合部４１の底部に隣接して配置されている。中間部４２には、挟持部４３が連続している。
【０１２６】
挟持部４３は、マウント５５を挟持する部分として設けられている。挟持部４３は、一対のアーム４３ａ，４３ａを有しており、これらのアーム４３ａ，４３ａによって、マウント５５のたとえば上端部を挟む。挟持部４３は、開口部１８側に向けて開放されている。上記の構成により、開口部１８が開かれた状態において、第１収容室１３内のフィクスチャー２Ｂは、術者の指に摘ままれた状態で、挟持部４３から引き抜かれることが可能である。
【０１２７】
以上説明したように、この変形例では、フィクスチャー２は、マウント５５を介して本体ケース５に保持される。これにより、フィクスチャー２は、より堅固に本体ケース５に保持される。
【０１２８】
（３）図８は、本件発明の別の実施形態を示している。本実施形態では、本体ケース５は歯科用インプラントパッケージ１を長手方向Ｘ１に直立した状態に安定的に置くためのケーススタンド部６１を更に備えている。ケーススタンド部６１は、本体ケース５の下端部（上端ストッパ７ｅから遠い側の端部）に形成されている。ケースススタンド部６１は、たとえば、互いに平行に延びる一対の棒状部分を有している。
【０１２９】
これにより、術者は、インプラントパッケージ１を長手方向Ｘ１に直立した状態で手術台等に置いた状態で第１キャップ部材７を外すことにより、第２開口部３０からフィクスチャー２を取り出すことも可能となる。また、フィクスチャー２の形状によっては、前述の開口部１８から取り出すこともできる。
【０１３０】
この構成によると、ケーススタンド部６１によって本体ケース５を安定的に直立させた状態で、第１キャップ部材７をカバーケース６および本体ケース５から分離することができ、第１キャップ部材７に覆われていた第２開口部３０を通して、フィクスチャー２を容易に本体ケース５から取り出すことができる。なお、ケーススタンド部６１はなくても、把持等によりインプラントパッケージ１の長手方向Ｘ１が地面と略垂直になるように維持すれば、ケーススタンド部６１にて直立させた場合と同様に第１キャップ部材７を外して第２開口部３０からフィクスチャー２を取り出すことも可能であるが、ケーススタンド部６１があると直立して安定しておくことができるため、より好ましい。
【０１３１】
（４）また、上述の実施形態および各変形例では、第１キャップ部材７が、本体ケース５およびカバーケース６に圧入固定される形態を例に説明した。しかしながら、この通りでなくてもよい。たとえば、第１キャップ部材７は、本体ケース５およびカバーケース６にねじ結合されてもよい。この場合、本体ケース５（カバーケース６）および第１キャップ部材７の一方に雄ねじ部が形成され、他方にこの雄ねじ部に雌ねじ部が形成される。
【産業上の利用可能性】
【０１３２】
本発明は、歯科用インプラントパッケージとして、広く適用することができる。
【符号の説明】
【０１３３】
１                歯科用インプラントパッケージ
２，２Ａ，２Ｂ    フィクスチャー
２ａ              フィクスチャーの上端面
２ｂ              上端部
２ｃ              下端部
３                カバースクリュー（協働部材）
５                本体ケース
６                カバーケース
７                第１キャップ部材（キャップ部材）
７ｅ              上端ストッパ
８                サブストッパ
９                下端ストッパ
１１              連結軸部（所定の軸）
１３              第１収容室（収容室）
１４              第２収容室
１６              第１延伸部
１８              開口部
１９              保持部
２０              保持溝部
２５              第２延伸部
２７              連結機構
３０              第２開口部
４０              サポート部材
５５              マウント（上端部に固定された部材）
５８              マウントの上端面（上端部に固定された部材の上端面）
６１              ケーススタンド部
Ｘ１              長手方向（フィクスチャーの延びる方向）
【図１】
2015163167.tif 000003
【図２】
2015163167.tif 000004
【図３】
2015163167.tif 000005
【図４】
2015163167.tif 000006
【図５】
2015163167.tif 000007
【図６】
2015163167.tif 000008
【図７】
2015163167.tif 000009
【図８】
2015163167.tif 000010